(57)【特許請求の範囲】
【請求項１】
皮膚製剤を塗布するための器具で使用される塗布具先端部組立体であって、
器具用モータの駆動端に挿入し、器具用モータの駆動端から取り外すことができ、前記モータの駆動端の動作と共に動くように十分な剛性を有する基部と、
使用者の顔面の皮膚に接触を提供するために十分に柔軟な先端部であって、前記基部および前記先端部が固定的に連結され、これにより、前記基部および前記先端部が前記モータの動作によって一体に動く、先端部と
を備えており、
前記駆動端が、前記駆動端の前方端部に突起を備えており、
前記基部が、開口部を有する下方要素部分を備え、前記開口部が、前記突起よりも小さく構成され且つ配置されており、前記突起上に前記開口部を取り付けることができるように十分な可撓性を有し、前記開口部の内側縁部が前記突起の後方テーパ部に当接し、前記塗布具先端部組立体を前記突起上に固定的に保持する、塗布具先端部組立体。
【請求項２】
前記先端部が、ショア・タイプＯＯデュロメータ硬さ３０の柔軟なシリコーンまたはゴムである、請求項１に記載の塗布具先端部組立体。
【請求項３】
前記モータの駆動端の動作が直線方向の振動である、請求項１に記載の塗布具先端部組立体。
【請求項４】
前記振動が５０〜２００Ｈｚの周波数範囲内である、請求項３に記載の塗布具先端部組立体。
【請求項５】
前記振動が１００〜１４０Ｈｚの周波数範囲内である、請求項３に記載の塗布具先端部組立体。
【請求項６】
前記先端部が、前記基部から上方に延在する１つ又は複数の先端部取付要素上に成形または型成形される、請求項１に記載の塗布具先端部組立体。
【請求項７】
前記先端部が皮膚製剤を受け入れるための凹状の前方面を備える、請求項１に記載の塗布具先端部組立体。
【請求項８】
前記駆動端が突起を含み、前記突起が正方形または矩形の横断面を有し、第１のテーパ及び第２のテーパを有する、請求項１に記載の塗布具先端部組立体。
【請求項９】
前記駆動端が突起を含み、前記突起が、円錐形区分および円筒形区分を有する、請求項１に記載の塗布具先端部組立体。
【請求項１０】
前記取付要素が連続的なリングである、請求項６に記載の塗布具先端部組立体。
【請求項１１】
皮膚製剤を塗布するための器具で使用される塗布具先端部組立体であって、
器具用モータの駆動端に挿入し、器具用モータの駆動端から取り外すことができ、前記モータの駆動端の動作と共に動くように十分な剛性を有する基部と、
使用者の顔面の皮膚に快適な接触を提供するために十分に柔軟な先端部であって、前記基部および前記先端部が固定的に連結され、これにより、前記基部および前記先端部が前記モータの動作によって一体に動く、先端部と
を備えており、
前記基部が、前記突起が通って動くことができる中央の開口部を有する下方要素、および、リブ部分を有する内側面を備えており、前記リブ部分は、前記先端部組立体の挿入および部分的な回転の後、前記先端部組立体を前記突起上に係止し、前記先端部組立体を固定的に保持するように配置され且つ構成されている、塗布具先端部組立体。
【請求項１２】
皮膚製剤を塗布するための器具で使用される塗布具先端部組立体であって、
器具用モータの駆動端に挿入し、器具用モータの駆動端から取り外すことができ、前記モータの駆動端の動作と共に動くように十分な剛性を有する基部と、
使用者の顔面の皮膚に快適な接触を提供するために十分に柔軟な先端部であって、前記基部および前記先端部が固定的に連結され、これにより、前記基部および前記先端部が前記モータの動作によって一体に動く、先端部と
を備えており、
前記駆動端が、前記駆動端の前方端部に突起を備えており、
前記基部が、外壁および離隔されたウェブ部材によって前記外壁に固定された内側リングを備え、前記内側リングが、前記ウェブ部材の間に、下方に延在する可撓性脚／要素を有し、前記脚／要素は、前記突起の第１のテーパ部が前記脚要素を外側に広げることにより、前記脚要素を通って動くことが可能になるように配置され且つ構成されており、前記脚要素が前記突起に対して跳ね返り、前記先端部組立体を前記突起上に固定的に保持する、塗布具先端部組立体。
【請求項１３】
前記脚要素が、均等に離隔されており、前記先端部組立体が前記突起から取り外され、前記突起上に取り付けることができるように十分な可撓性を有し、且つ、作動中に無駄な動きを防止するように前記先端部組立体を前記突起に対して保持する、請求項１２に記載の塗布具先端部組立体。
【請求項１４】
皮膚製剤を塗布するための器具で使用される塗布具先端部組立体であって、
器具用モータの駆動端に挿入し、器具用モータの駆動端から取り外すことができ、前記モータの駆動端の動作と共に動くように十分な剛性を有する基部と、
使用者の顔面の皮膚に接触を提供するために十分に柔軟な先端部であって、前記先端部が、皮膚製剤を受け入れるように、単一の平坦な先端に取り囲まれた１つの凹状の前方面のみを備えており、前記基部および前記先端部が固定的に連結され、これにより、前記基部および前記先端部が前記モータの動作によって一体に動く、先端部と、を備える、塗布具先端部組立体。
【発明の詳細な説明】
【技術分野】
【０００１】
[0001]本発明は、一般に、体の顔面皮膚領域に皮膚治療製剤を適用するための器具に関し、より具体的には、器具モータの駆動端に嵌合する交換可能な塗布具先端部組立体に関する。
【背景技術】
【０００２】
[0002]皮膚治療製剤を含む様々な皮膚製剤を体の顔面皮膚領域など、選択された皮膚領域に塗布することのできる電気器具では、実際に製剤を皮膚に接触させる塗布具先端部は比較的短命であり、したがって時々交換が必要である。そのような塗布具先端部は、製剤を塗布するとき、使用者の皮膚と快適な接触を維持するための非常に柔軟な前方部分を備えなければならない。不快感を経験した使用者は、その器具を使い続ける見込みがないであろう。また塗布具先端部は、器具モータの駆動端に容易に固定し、器具モータの駆動端から取り外すことができなければならない。交換可能な塗布具先端部は、実質的な騒音または無駄な動作をもたらさずに、モータ駆動の振動動作に耐えるようにモータの駆動端に確実に結合されなければならない。本明細書で図示され、説明される塗布具組立体は、そのような所望の目的を達成する。
【発明の概要】
【課題を解決するための手段】
【０００３】
[0003]したがって、本明細書では、皮膚製剤を塗布するための器具で使用される塗布具先端部組立体であって、器具用モータの駆動端に挿入し、器具用モータの駆動端から取り外すことができ、モータの駆動端の動作と共に動くように十分な剛性を有する基部と、使用者の顔面の皮膚に接触を提供するために十分に柔軟な先端部であって、基部および先端部が固定的に連結され、これにより、基部および先端部がモータの動作によって一体に動く、先端部とを備えており、駆動端が、駆動端の前方端部に突起を備えており、基部が、開口部を有する下方要素部分を備え、開口部が、突起よりも小さく構成され且つ配置されており、突起上に開口部を取り付けることができるように十分な可撓性を有し、開口部の内側縁部が突起の後方テーパ部に当接し、塗布具先端部組立体を突起上に固定的に保持する、塗布具先端部組立体を開示する。
また、本明細書では、皮膚製剤を塗布するための器具で使用される塗布具先端部組立体であって、器具用モータの駆動端に挿入し、器具用モータの駆動端から取り外すことができ、モータの駆動端の動作と共に動くように十分な剛性を有する基部と、使用者の顔面の皮膚に快適な接触を提供するために十分に柔軟な先端部であって、基部および先端部が固定的に連結され、これにより、基部および先端部がモータの動作によって一体に動く、先端部とを備えており、基部が、突起が通って動くことができる中央の開口部を有する下方要素、および、リブ部分を有する内側面を備えており、リブ部分は、先端部組立体の挿入および部分的な回転の後、先端部組立体を突起上に係止し、先端部組立体を固定的に保持するように配置され且つ構成されている、塗布具先端部組立体を開示する。
また、本明細書では、皮膚製剤を塗布するための器具で使用される塗布具先端部組立体であって、器具用モータの駆動端に挿入し、器具用モータの駆動端から取り外すことができ、モータの駆動端の動作と共に動くように十分な剛性を有する基部と、使用者の顔面の皮膚に快適な接触を提供するために十分に柔軟な先端部であって、基部および先端部が固定的に連結され、これにより、基部および先端部がモータの動作によって一体に動く、先端部とを備えており、駆動端が、駆動端の前方端部に突起を備えており、基部が、外壁および離隔されたウェブ部材によって外壁に固定された内側リングを備え、内側リングが、ウェブ部材の間に、下方に延在する可撓性脚／要素を有し、脚／要素は、突起の第１のテーパ部が脚要素を外側に広げることにより、脚要素を通って動くことが可能になるように配置され且つ構成されており、脚要素が突起に対して跳ね返り、先端部組立体を突起上に固定的に保持する、塗布具先端部組立体を開示する。
また、本明細書では、皮膚製剤を塗布するための器具で使用される塗布具先端部組立体であって、器具用モータの駆動端に挿入し、器具用モータの駆動端から取り外すことができ、モータの駆動端の動作と共に動くように十分な剛性を有する基部と、使用者の顔面の皮膚に接触を提供するために十分に柔軟な先端部であって、先端部が、皮膚製剤を受け入れるように、単一の平坦な先端に取り囲まれた１つの凹状の前方面のみを備えており、基部および先端部が固定的に連結され、これにより、基部および先端部がモータの動作によって一体に動く、先端部と、を備える、塗布具先端部組立体を開示する。
【図面の簡単な説明】
【０００４】
【図１】[0004]皮膚製剤塗布具の概略図である。
【図２】[0005]皮膚製剤塗布具に用いられる新規な塗布具先端部組立体の一実施形態の立面図である。
【図３】皮膚製剤塗布具に用いられる新規な塗布具先端部組立体の一実施形態の横断面図である。
【図４】皮膚製剤塗布具に用いられる新規な塗布具先端部組立体の一実施形態の底面図である。
【図５】[0006]塗布具先端部組立体の第２の実施形態の立面図である。
【図６】塗布具先端部組立体の第２の実施形態の斜視図である。
【図７】塗布具先端部組立体の第２の実施形態の底面図である。
【図８】塗布具先端部組立体の第２の実施形態の底面図である。
【図９】[0007]塗布具先端部組立体の第３の実施形態の立面図である。
【図１０】塗布具先端部組立体の第３の実施形態の立面図である。
【図１１】塗布具先端部組立体の第３の実施形態の斜視図である。
【図１２】塗布具先端部組立体の第３の実施形態の横断面図である。
【発明を実施するための形態】
【０００５】
[0008]図１は、皮膚の様々な領域、特に顔面領域に皮膚製剤を塗布するための塗布具器具１０を全体的に示す。塗布具１０は、可聴周波数範囲５０〜２００Ｈｚ、好ましくは１００〜１４０Ｈｚで作動する。塗布具１０は、音波皮膚塗布具として言及され、モータ、電池およびマイクロプロセッサ制御装置を含むが、それらは図１に具体的には図示されない。本明細書では同時係属中の特許出願第１２／１３５、８８７号が参照され、その内容が本明細書に参照により取り込まれる。塗布具１０はオン／オフスイッチ１８によって制御される。モータ駆動端部材がモータから延在する。
【０００６】
[0009]本出願の主題事項を備える、図１の２４で全体的に示す塗布具先端部組立体が、モータ駆動端部材上に取り外し可能に取り付けられる。塗布具先端部組立体は制限された寿命を有するので、したがって、塗布具器具の耐用年限中に定期的な間隔で交換されなければならない。モータの駆動端部材は、作動中に選択された距離、典型的には０．０２５４〜０．１９０５ｃｍ（０．０１０〜０．０７５インチ）、好ましくは、０．０５０８〜０．０８８９ｃｍ（０．０２０〜０．０３５インチ）の範囲で前後に振動する。塗布具先端部組立体２４は駆動端部材に安定して結合されているので、それもまた作動中に同様に振動する。塗布具先端部組立体を取り外し可能に駆動端部材に取り付けるための配置を含む、塗布具先端部組立体の機械的特性は、塗布具器具の全体的機能に重要である。
【０００７】
[0010]概して、いくつかの実施形態で本明細書に示す塗布具先端部組立体は、皮膚製剤を塗布するとき、使用者の皮膚に直接接触することになり、先端部分と使用者の間に快適な接触を維持するために非常に柔軟でなければならない先端部分を有する。塗布具先端部組立体はまた、モータの駆動端部材に堅固に取り付けられるように十分剛性でなければならない基部を有し、一旦取り付けられると、塗布具先端部組立体は、無駄な動きがなく、または著しい騒音を生成せずに静かで信頼性のある作動をもたらすように、共振するモータの振動動作に耐えるために、モータの駆動端部材に十分緊密に結合された状態でなければならない。加えて、塗布具先端部組立体は、特別な道具の使用または複雑な組立体の操作なしに、一体として駆動端部材に容易に取り付けられ、および駆動端部材から取り外されなければならない。したがって、塗布具先端部組立体は便利に交換可能である。連続する塗布具先端部組立体の取り付けおよび取り外しにより、モータの駆動端要素を損傷してはならない。本明細書のすべての実施形態で、塗布具先端部組立体は、モータの駆動端部材に取り付けまたはモータの駆動端部材から取り外されるとき、屈曲するように設計されている。このことは、より高い剛性を有する器具モータは繰り返される先端部組立体の取り付けおよび取り外しによって損傷を受けないことを保証する。加えて、柔軟な先端部分は基部に配置、固定され、その結果、この２つは器具の作動中に分離することはない。
【０００８】
[0011]次に、図２から４の実施形態に言及すると、器具モータから延在する駆動端部材２２は正方形または矩形の横断面を有し、二重テーパ形状の突起２４を有する。一般に正方形の横断面が好ましいが、長方形もあり得る。第１のテーパ部２７は突起２４の最前端部に位置する。テーパ部２７は最前点２８で丸く、次いで、７０°〜１１０°の範囲で、公称角度９０°のテーパ面３２と３４の間の角度で次第に先が細くなる。テーパ面３２および３４は、略平面であるが、それらはその下方端部で内方に丸くなり、丸い縁部３６および３８を画定する。
【０００９】
[0012] テーパ面４０および４２は、丸い縁部３６および３８の内側端部からわずかに外側にテーパしており、第２のテーパ部４３を画定する。２つのテーパ部２７および４３の組み合わせが、塗布具先端部組立体とモータの駆動端部材の間の確実な取り付けを可能にし、一方同時に、以下に詳細に説明するように、塗布具先端部組立体が便利に取り付けられ、次いで取り外されることを可能にする。
【００１０】
[0013]図２、３および４は、図示された実施形態では、横断面が直径約１．０１６ｃｍ（０．４０インチ）の円形であり、その周辺縁部で高さが約０．５０８ｃｍ（０．２０インチ）である柔軟な先端部４６を有する塗布具先端部組立体４４を示す。これらの寸法は、特定の用途に依存して変化し得る。先端部４６は皮膚製剤を入れるように設計された凹状の前方面５０を有する。上述のように、先端部は、使用者にとって快適なように柔軟であり、製剤の塗布および効果的な使用を改善することが重要である。先端部の材料は、先端部組立体の基部に射出成型または型成形され得る、非常に小さいデュロメータ硬さのシリコーン、エラストマー系または類似のゴム材料であることが好ましい。図示された実施形態では、材料はショア・タイプＯＯデュロメータ硬さ３０補綴等級シリコーンである。この材料は、非常に素晴らしい感触並びに良好な機能を有する。良好な機能は、材料の可撓性が人間の皮膚の可撓性に類似し、したがって効率的に動きおよび力を伝えるという事実によるものである。
【００１１】
[0014]先端部組立体の他の部分は、５２に全体的に示される基部である。この実施形態では、基部５２の材料は可撓性があるが、しかし特に柔軟ではない。高密度または低密度のポリエチレンが適するが、並びに他の類似の材料もまた適する。基部５２は、中央開口部５８を有する下方要素５６を含む。下方要素はまた、開口部５８の外周面に均等に離隔された４つの穴６０−６０を有し、その目的は、成型工程中に閉じ込められた空気を逃がすことを可能にし、成型材料が基部５２の内部の垂直な壁を充填し、それらに付着することができるようにすることである。
【００１２】
[0015]下方部材５６は、十分に柔軟なので、塗布具先端部組立体の基部５２が突起部２４上に容易に挿入され得る。開口部５８は丸い縁部３６および３８の大きいほうの直径寸法よりも幾分小さく、その結果、塗布具先端部組立体が、第１のテーパ部２７を過ぎて、基部の下方面がモータの駆動端の面５５に当接する点まで押されるとき（図３）、基部５２の下方要素５６は、開口部５８の縁部が第２のテーパ部４３の上方部分に係合し、第２のテーパ部４３の上方部分によって保持されるように跳ね返る（弾性復帰する）。基部５２の下方要素５６を備える材料は、十分な可撓性があるので圧力下で変形して、突起２４の第１のテーパ部２７が開口部を貫通して動くことができ、塗布具先端部組立体を便利に取り付けおよび取り外すことができる。組立体の適切な取り付け後、下方要素５６が元の構成に跳ね返るとき、塗布具先端部組立体はモータの駆動端部材にしっかりと係止される。
【００１３】
[0016]下方要素５６の上方面から上方に延在する開口部５８の外周面は、リングまたは円筒６２であり、そのリング６２に柔軟な先端部４６が成形または型成形され、その結果、組立体の２つの部分間に確実な結合をもたらし、すなわち先端部と基部組立体が固定的に結合され、したがって、モータの駆動端部材の通常の振動動作中に分離しないようになる。
【００１４】
[0017]図５から８に示す第２の実施形態は、図２から４の実施形態の突起と同様に構成された、駆動端部材の端部の突起を使用する。図２の突起と同一の、正方形または矩形の二重テーパ形状の突起が７０に示される。第２の実施形態では、塗布具先端部組立体７４の先端部７２は、基本的に図２から４の実施形態の先端部４６と同じである。基部７６は、図２から４の実施形態の基部よりも可撓性の少ない部材を備える。この実施形態では、ＡＢＳ樹脂または類似の材料が使用される。基部７６の下方要素７７は、突起７０が自由に嵌合することができる開口部７８を含む。正方形の開口部が一般に好ましいが、矩形形状もまた使用され得る。この実施形態では、いくつかの小さいリブ７９が、下方要素７６から上方に延在する内部リングまたは円筒部材８０に成形される。リング部材８０の上方部分は、その上に成形または型成形される先端部を受ける。
【００１５】
[0018]この実施形態では、基部７６は、基部の下方環状面８１がモータの駆動端部材の面８２に当接するまで、突起７０上に挿入される。この位置では、第１のテーパ部の側面縁部がリブ付きリング状部材８０内にあり、次いで３０°〜６０°の範囲、好ましくは４５°の角度で回転され、それにより、リブ７９と突起７０の第１のテーパ部の縁部の間の干渉嵌合によって塗布具先端部組立体が突起上に係止される。塗布具先端部組立体が取り換えのために取り外されるとき、先端部組立体は反対方向に同じ分量だけ回転されて、次いで突起から外される。
【００１６】
[0019]別の実施形態が図９から１２に示される。この実施形態では、駆動端部材で突起８４が異なる構成を有する。突起の前方区分／テーパ部８６は円錐形であり、一方後方部分８８は横断面が略円筒形である。この配置では、塗布具組立体９１の先端部９０が上述の実施形態のために説明された同じ特性を有する。基部９２はＡＢＳ樹脂または類似の材料などの比較的剛性の材料を備える。この実施形態では、基部９２は外側円筒壁９３および内側円筒リング９４を有する。３つの均等に離隔されたウェブ要素９８−９８が、内側リング９４から外側円筒壁９３まで延在し、外側壁９３の上方縁部近傍に位置する。これは、内側リング９４と外側壁９３の間に構造上の安定性を提供する。３つの離隔された、典型的には均等に離隔された垂直脚１００−１００が、内側リング部材９４から下方に、ウェブ要素９８の間に延在する。垂直脚の下方縁部は壁９３に固定されていないので、垂直脚の下方縁部は圧力下で外側に自由に動くことができる。しかし、それらは弾力性があるので、その結果、垂直脚上の外側への圧力が解放されるとき、それらは最初の実質的に垂直な位置に跳ね返る。３つのウェブ要素および３つの垂直脚が開示されるが、他の数のこれらの要素、例えば２つまたは４つの要素が使用され得ることを理解されたい。
【００１７】
[0020]３つの垂直脚の下方縁部１０２は丸く、図１１で最も明確に示すように、垂直脚１００によって部分的に画定される円筒開口部１０４内部にわずかに延在し、並びに垂直脚の残りの部分のわずかに外側に延在する。垂直脚１００は、突起８４に関連して、塗布具先端部組立体の基部が突起上にスナップ式に留まることができるように構成されており、垂直脚の下方縁部１０２の一部が、突起のテーパ部８６の下方縁部１０７並びに駆動端部材の水平面１０８に当接し、塗布具先端部組立体を突起上の位置に堅固に保持するのに役立つ。
【００１８】
[0021]先端部９０は、基部９２の内側リング９４の上方部分に成形または型成形され、２つの部品を一体に固定する。塗布具先端部組立体が取り外されるとき、長手方向の力が塗布具先端部組立体上に外側に働き、その結果、垂直脚１００は一時的に外側に広がり、塗布具先端部組立体が突起８４から取り外されることができる。
【００１９】
[0022]したがって、皮膚製剤用塗布具と共に使用するための交換可能な塗布具先端部組立体が開示されてきた。塗布具先端部組立体はしっかりと基部上に成形または型成形される先端部を含み、先端部は、使用者の皮膚に接触するとき、快適さと効果を提供するように非常に柔軟である。塗布具先端部組立体の基部は相対的に剛性を有し、塗布具モータの駆動端要素と確実で動的な結合を可能にし、一方、同時に突起上に先端部組立体を便利に取り付けおよび取り外しができるようにする。上述のように、塗布具の寿命は先端部組立体の寿命よりもかなり長いので、塗布具先端部組立体は便利に取り換え可能である。先端部組立体は、道具を必要とせずに取り付けおよび取り外しが容易であり、しかし取り付けられたときはしっかりと固定され、動作の無駄がなく、静かな作動を提供する。所望の機能のこの組み合わせを達成するために、いくつかの実施形態が開示されてきた。
【００２０】
[0023]好ましい実施形態が例示の目的のために開示されてきたが、様々な変形形態、修正形態および代替形態が、以下に続く特許請求の範囲に定義された本発明の精神から離れることなく好ましい実施形態で作成され得ることを理解されたい。
【図１】
0005898614.tif 000002
【図２】
0005898614.tif 000003
【図３】
0005898614.tif 000004
【図４】
0005898614.tif 000005
【図５】
0005898614.tif 000006
【図６】
0005898614.tif 000007
【図７】
0005898614.tif 000008
【図８】
0005898614.tif 000009
【図９】
0005898614.tif 000010
【図１０】
0005898614.tif 000011
【図１１】
0005898614.tif 000012
【図１２】
0005898614.tif 000013